(57)【要約】  【課題】  原稿押さえの開閉時における原稿のずれを簡便且つ低コストで防止するとともに、迅速且つ良好な画像読み取り操作が可能な原稿押さえ装置を提供する。  【解決手段】  原稿押さえ板４の裏面左奥には補助押圧部材１１が突設されており、原稿押さえ板４を閉じ始めた後、原稿マット６により完全に原稿が覆われる前に補助押圧部材１１が原稿上に密着する。原稿押さえ板４の裏面左手前には最終位置検知ピン１２が突設されており、原稿押さえ板４を完全に閉じた時、コンタクトガラス３の外側部分で押し上げられることにより原稿押さえ板４の閉位置を検知し、補助押圧部材１１を原稿上から退避させる。【選択図】      図１
2006101451.tif 000002
【特許請求の範囲】
【請求項１】
画像読取部の上部に設けられる原稿載置面に対向するように、ヒンジ部を介して前記画像読取部の一端に開閉自在に支持される原稿押さえ板と、該原稿押さえ板の裏面に設けられ前記原稿載置面に載置された原稿を覆い押さえる押圧部材と、を備えた原稿押さえ装置において、
前記原稿押さえ板の閉動作により前記押圧部材よりも先に前記原稿載置面に到達し、載置された原稿の一部を前記原稿載置面に密着させる補助押圧部材と、前記押圧部材が前記原稿載置面の略全面を押さえたとき、前記原稿載置面の外側部分で押し上げられて前記原稿押さえ板の閉位置を検知する最終位置検知ピンとが、前記原稿押さえ板の裏面より出入自在に突設されるとともに、弾性部材により突出方向に付勢されており、
前記最終位置検知ピンが前記原稿押さえ板の閉位置を検知したとき、前記補助押圧部材が原稿上から退避することを特徴とする原稿押さえ装置。
【請求項２】
前記補助押圧部材及び前記最終位置検知ピンを連結する駆動伝達手段が設けられており、前記駆動伝達手段は、前記最終位置検知ピンが押し上げられる力により前記補助押圧部材を上昇させることを特徴とする請求項１に記載の原稿押さえ装置。
【請求項３】
前記駆動伝達手段は、複数のギヤと、該ギヤが固定される１つ以上の回転軸とから構成されており、前記補助押圧部材に連結されるギヤのギヤ径は、前記最終位置検知ピンに連結されるギヤのギヤ径よりも大きいことを特徴とする請求項２に記載の原稿押さえ装置。
【請求項４】
前記補助押圧部材は、前記最終位置検知ピンが前記原稿押さえ板の閉位置を検知したとき前記駆動伝達手段に連結されることを特徴とする請求項２又は請求項３に記載の原稿押さえ装置。
【請求項５】
前記駆動伝達手段の一部に、前記補助押圧部材及び前記最終位置検知ピンを押し上げる方向にのみ駆動力を伝達するワンウェイ機構を備えたことを特徴とする請求項２乃至請求項４のいずれかに記載の原稿押さえ装置。
【請求項６】
前記補助押圧部材は、前記原稿載置面に載置される原稿のサイズや位置を指示する原稿指示手段近傍に対向する位置に設けられ、前記原稿押さえ板の角度が略４５°となった時に前記原稿載置面に到達することを特徴とする請求項１〜請求項５のいずれかに記載の原稿押さえ装置。
【発明の詳細な説明】
【技術分野】
【０００１】
本発明は、電子写真方式を用いたファクシミリや複写機等の画像形成装置の原稿押さえ装置に関し、特に原稿の載置位置のずれ防止に関するものである。
【背景技術】
【０００２】
従来、画像読取部と画像形成部とを備えた画像形成装置においては、複数のサイズの原稿を読み取り、読み取った画像をそれぞれ適したサイズの用紙に複写して出力する。このような画像形成装置の画像読取部の構成を図７に示す。同図において、画像形成装置１の本体上部には画像読取部２が配置され、画像読取部２の上部、即ち画像形成装置１の本体上面（原稿台）には、原稿を載置する原稿載置面としてのコンタクトガラス３が設けられている。
【０００３】
コンタクトガラス３の上方には、コンタクトガラス３上に載置された原稿を押さえる原稿押さえ板４が設けられており、画像読取部２の奥側に設けられたヒンジ部５を介して画像形成装置１の本体上面に開閉可能に支持されている。原稿押さえ板４の裏面には、コンタクトガラス３上に載置された原稿の略全面を覆い押さえる原稿マット（押圧部材）６が設けられている。原稿マット６は、通常、スポンジ等で形成されており、原稿押さえ板４の荷重により圧縮されてコンタクトガラス３上の原稿を確実に保持する。原稿押さえ板４及び原稿マット６は、画像読み取り時に原稿を所定位置に保持する原稿押さえ装置を構成する。
【０００４】
また、原稿押さえ板４には複数の原稿を順次コンタクトガラス３に搬送する原稿搬送部７が付設されている。そして、画像読取部２においてコンタクトガラス３上に載置された原稿或いは原稿搬送部７より搬送される原稿を読み取り、読み取った原稿画像を図示しない画像形成部において用紙上に出力する。８はユーザが装置の機能や印刷条件等の設定を行う操作キーであり、９は設定条件や装置の状態等を表示する表示部である。
【０００５】
このような画像形成装置を使用する場合、ユーザは原稿をコンタクトガラス３上の所定の位置に載置して原稿サイズを指定する。原稿のサイズを自動的に読み取る機能を備えた画像形成装置も存在するが、そのような装置においても定型サイズ以外の原稿を用いる場合は原稿サイズが誤検知される可能性もあり、ユーザ自身による原稿サイズの指定が必要となる場合もある。
【０００６】
そのため、コンタクトガラス３の左上端部に原稿を突き当てて位置決めを行う機種の場合、図に示すように、載置される原稿のサイズや位置を指示する原稿指示手段１０ａ、１０ｂが、通常コンタクトガラス３の奥側及び左側の２箇所に設けられている。そして、原稿指示手段１０ａ、１０ｂを用いて原稿を所定位置に載置した後、原稿押さえ板４を閉じることにより押圧部材６で原稿を保持し、操作キー８を操作して画像形成処理を行う。
【０００７】
しかし、上述したような従来の画像形成装置では、載置される原稿の厚みが薄い場合、或いは小型の場合は、原稿押さえ板４を閉じる際の風圧により、位置決めされた配置から原稿がずれる場合があった。また、原稿が大型の場合、原稿は丸められていることも多く、原稿に巻きぐせが付いている場合は手で原稿を押さえながら原稿押さえ板４を閉じることとなる。このとき、原稿押さえ４を完全に閉じるまで原稿を押さえておくことはできないため、巻きぐせにより原稿をコンタクトガラス３に完全に密着させることができず、所望の画像が読み取れない場合があった。
【０００８】
そこで、原稿台上に載置されている原稿の配置位置のずれを防止する方法が提案されており、特許文献１には、原稿台と原稿押さえ板との間に、予め原稿の一部を押さえておく補助押圧部材を設け、補助押圧部材を原稿上にセットした後に原稿押さえ板で原稿全体を押さえることにより、原稿のずれを防止する原稿台が開示されている。
【０００９】
また、特許文献２には、原稿を押さえる弾性部材の中央部の厚みを最大として、周辺部に向かって順次薄くなるように形成し、弾性部材を点接触から徐々に面接触へと変化させながら原稿を押圧することにより、原稿押さえ時の原稿のずれを防止するとともに、面接触から徐々に点接触へと変化させながら原稿から離間することにより、原稿押さえ板を開放する時の原稿の巻き上げを防止する方法が開示されている。
【００１０】
しかしながら、特許文献１の方法では、原稿を押さえる動作を２段階に行う必要があり、画像読み取り操作を迅速に行うことができない。また、画像読み取り時においても補助押圧部材が原稿上に存在しているため、厚みの薄い原稿や色目の薄い原稿の場合は、補助押圧部材の跡が原稿上或いは形成された画像上に残ってしまう。一方、特許文献２の方法では、弾性部材の厚みにより、原稿押さえ装置の自重のみでは原稿台上に原稿を密着させることが困難となる場合があり、特に小型の画像形成装置においては、原稿押さえ装置を閉じる機構が別途必要になるという問題点があった。
【特許文献１】特開平５−１１３６９号公報
【特許文献２】特開平５−２７３３９号公報
【発明の開示】
【発明が解決しようとする課題】
【００１１】
本発明は、上記問題点に鑑み、原稿押さえの開閉時における原稿のずれを簡便且つ低コストで防止するとともに、迅速且つ良好な画像読み取り操作が可能な原稿押さえ装置を提供することを目的とする。
【課題を解決するための手段】
【００１２】
上記目的を達成するために本発明は、画像読取部の上部に設けられる原稿載置面に対向するように、ヒンジ部を介して前記画像読取部の一端に開閉自在に支持される原稿押さえ板と、該原稿押さえ板の裏面に設けられ前記原稿載置面に載置された原稿を覆い押さえる押圧部材と、を備えた原稿押さえ装置において、前記原稿押さえ板の閉動作により前記押圧部材よりも先に前記原稿載置面に到達し、載置された原稿の一部を前記原稿載置面に密着させる補助押圧部材と、前記押圧部材が前記原稿載置面の略全面を押さえたとき、前記原稿載置面の外側部分で押し上げられて前記原稿押さえ板の閉位置を検知する最終位置検知ピンとが、前記原稿押さえ板の裏面より出入自在に突設されるとともに、弾性部材により突出方向に付勢されており、前記最終位置検知ピンが前記原稿押さえ板の閉位置を検知したとき、前記補助押圧部材が原稿上から退避することを特徴としている。
【００１３】
また本発明は、上記構成の原稿押さえ装置において、前記補助押圧部材及び前記最終位置検知ピンを連結する駆動伝達手段が設けられており、前記駆動伝達手段は、前記最終位置検知ピンが押し上げられる力により前記補助押圧部材を上昇させることを特徴としている。
【００１４】
また本発明は、上記構成の原稿押さえ装置において、前記駆動伝達手段は、複数のギヤと、該ギヤが固定される１つ以上の回転軸とから構成されており、前記補助押圧部材に連結されるギヤのギヤ径は、前記最終位置検知ピンに連結されるギヤのギヤ径よりも大きいことを特徴としている。
【００１５】
また本発明は、上記構成の原稿押さえ装置において、前記補助押圧部材は、前記最終位置検知ピンが前記原稿押さえ板の閉位置を検知したとき前記駆動伝達手段に連結されることを特徴としている。
【００１６】
また本発明は、上記構成の原稿押さえ装置において、前記駆動伝達手段の一部に、前記補助押圧部材及び前記最終位置検知ピンを押し上げる方向にのみ駆動力を伝達するワンウェイ機構を備えたことを特徴としている。
【００１７】
また本発明は、上記構成の原稿押さえ装置において、前記補助押圧部材は、前記原稿載置面に載置される原稿のサイズや位置を指示する原稿指示手段近傍に対向する位置に設けられ、前記原稿押さえ板の角度が略４５°となった時に前記原稿載置面に到達することを特徴としている。
【発明の効果】
【００１８】
本発明の第１の構成によれば、原稿押さえ板がある程度閉じられた状態で補助押圧部材により原稿が固定されるため、原稿押さえ板を閉じる際の風圧等による原稿の位置ずれを効果的に防止する。また、弾性部材の付勢力を用いて原稿を押さえるため、原稿に過度の負荷をかけず、原稿を傷めることがない。さらに、原稿押さえ板が完全に閉じられて押圧部材が原稿載置面の略全面を押さえた状態を最終位置検知ピンが検知すると補助押圧部材が原稿上から退避するため、読み取られた画像上に補助押圧部材の跡が残らない。
【００１９】
また、本発明の第２の構成によれば、上記第１の構成の原稿押さえ装置において、補助押圧部材及び最終位置検知ピンを連結する駆動伝達手段を設け、最終位置検知ピンが押し上げられる力を利用して補助押圧部材を上昇させることにより、簡単な構成で補助押圧部材を原稿上から退避させることができ、別途モータ等の駆動手段を設ける必要がないため原稿押さえ装置の開閉時の荷重も軽くなる。
【００２０】
また、本発明の第３の構成によれば、上記第２の構成の原稿押さえ装置において、駆動伝達手段を、複数のギヤ及び該ギヤが固定される１つ以上の回転軸で構成し、補助押圧部材に連結されるギヤのギヤ径を、最終位置検知ピンに連結されるギヤのギヤ径よりも大きくすることにより、最終位置検知ピンの上昇量は補助押圧部材の押し上げ量よりも小さくなるため、最終位置検知ピンが押し上げられる際に補助押圧部材及び最終位置検知ピンの突出量を逆転させて、補助押圧部材を原稿上から退避させることができる。
【００２１】
また、本発明の第４の構成によれば、上記第２又は第３の構成の原稿押さえ装置において、補助押圧部材は、最終位置検知ピンが原稿押さえ板の閉位置を検知したとき駆動伝達手段に連結されることにより、原稿押さえ板が閉じられるまでは補助押圧部材から最終位置検知ピンに駆動力が伝達されず、補助押圧部材の上昇により最終位置検知ピンの突出量が変動しないため、原稿押さえ板の閉位置の正確な検知が可能となる。
【００２２】
また、本発明の第５の構成によれば、上記第２乃至第４のいずれかの構成の原稿押さえ装置において、駆動伝達手段の一部に、補助押圧部材及び最終位置検知ピンを押し上げる方向にのみ駆動力を伝達するワンウェイ機構を備えたことにより、補助押圧部材及び最終位置検知ピンを弾性部材の付勢力により迅速に元の突出状態に戻すことができる。
【００２３】
また、本発明の第６の構成によれば、上記第１乃至第５のいずれかの構成の原稿押さえ装置において、補助押圧部材を原稿載置面の原稿指示手段近傍に対向する位置に、原稿押さえ板の角度が略４５°となった時に原稿載置面に到達するように設けることにより、原稿押さえ板の風圧で原稿のずれが生じる前に、位置決めの基準となる原稿指示手段付近を補助押圧部材で確実に押さえることができ、原稿の位置ずれを一層効果的に防止する。
【発明を実施するための最良の形態】
【００２４】
以下に本発明の実施形態を図面を参照して説明する。図１は、本発明の第１実施形態に係る原稿押さえ装置の部分斜視図である。従来例の図７と共通する部分には同一の符号を付して説明を省略する。図１において、原稿押さえ板４の裏面左奥には、補助押圧部材１１が突設されており、原稿押さえ板４の裏面左手前には、原稿押さえ板４の閉位置を検知する最終位置検知ピン１２が突設されている。
【００２５】
補助押圧部材１１は、支柱１１ａと、コンタクトガラス３上に載置された原稿に当接する接地部１１ｂとから成り、原稿指示手段１０ａ、１０ｂの表示に合わせて原稿を載置し、原稿押さえ板４を閉じ始めた後、原稿マット６により完全に原稿が覆われる前に原稿上に密着するように構成されている。これにより、原稿押さえ板４を閉じる際の風圧等により、予め位置決めされた配置から原稿がずれるおそれがなくなる。
【００２６】
最終位置検知ピン１２は、コンタクトガラス３上の原稿の読み取りに影響を与えないように、原稿マット６が圧縮されてコンタクトガラス３上の原稿を完全に押さえたとき、コンタクトガラス３の外側部分に当接する位置に設けられている。補助押圧部材１１と最終位置検知ピン１２は、後述する駆動伝達手段で連結されており、最終位置検知ピン１２による原稿押さえ板４の閉位置の検知と同時に、補助押圧部材１１が原稿上から退避するようになっている。
【００２７】
次に、原稿押さえ板４の内部構造について説明する。図２は、原稿押さえ板の内部に配置される駆動機構を示す断面斜視図であり、図３は、図２の上方から見た状態を示す斜視図である。図１と共通する部分には同一の符号を付して説明を省略する。
【００２８】
補助押圧部材１１及び最終位置検知ピン１２には、バネ１３ａ、１３ｂが外挿されており、バネ１３ａ、１３ｂの両端は、補助押圧部材１１及び最終位置検知ピン１２の側面に突設された断面コ字状のバネ係止部１１ｃ、１２ｃと、原稿押さえ板４の裏面４ａとに固定されている。これにより、補助押圧部材１１及び最終位置検知ピン１２は、それぞれ原稿押さえ板４の裏面４ａに設けられた開口部１４ａ、１４ｂから出入自在に構成され、且つ突出方向に付勢されている。
【００２９】
また、バネ係止部１１ｃ、１２ｃより上方の一側面には、断面鋸刃状の噛み合わせ部１１ｄ、１２ｄが形成され、それぞれギヤ１５、１６に同じ側（図の左側）から係合している。なお、噛み合わせ部１１ｄは、補助押圧部材１１の上端から一定の領域内には設けられていない。ギヤ１５及びギヤ１６は、回転軸１７の両端に固定されされており、補助押圧部材１１及び最終位置検知ピン１２は、ギヤ１５、１６の回転により互いに連動して開口部１４ａ、１４ｂから出入りするようになっている。ギヤ１５、１６、及び回転軸１７は、補助押圧部材１１及び最終位置検知ピン１２を連結して駆動力を伝達する駆動伝達手段を構成する。
【００３０】
補助押圧部材１１は、原稿押さえ板４が閉じられ原稿マット６（図１参照）が原稿を押さえる前に接地部１１ｂが原稿面に接地する必要があるため、原稿マット６の裏面から所定量突出していることが必要である。接地部１１ｂが原稿面に接地した後は、原稿押さえ板４の閉方向への回動に伴ってバネ１３ａが引き伸ばされ、バネ係止部１１ｃは原稿押さえ板４の裏面４ａから離間して補助押圧部材１１は徐々に原稿押さえ板４内に挿入されていく。そして、原稿押さえ板４が完全に閉じられた状態では大部分が原稿押さえ板４内に収容される。
【００３１】
これに対し、最終位置検知ピン１２は、原稿押さえ板４が完全に閉じられた状態で、画像読取部の上面で押圧される程度に突出していればよいため、原稿押さえ板４の開閉動作に伴う最終位置検知ピン１２の駆動量は補助押圧部材１１に比べて小さくなる。そこで、噛み合わせ部１１ｄを補助押圧部材１１の上端から離れた位置に設けることにより、補助押圧部材１１が上昇を開始しても、噛み合わせ部１１ｄがギヤ１５に到達するまでは最終位置検知ピン１２が上昇しないような構成としている。噛み合わせ部１１ｄを設ける位置は、最終位置検知ピン１２が画像読取部の上面で押圧されるタイミングに合わせてギヤ１５に噛み合うように設定しておくことが好ましい。
【００３２】
さらに、ギヤ１６を、大径部１６ａ及び小径部１６ｂから成る二段ギヤとし、最終位置検知ピン１２を小径部１６ｂに連結することにより、補助押圧部材１１及び最終位置検知ピン１２の駆動量の差を補っている。小径部１６ｂとギヤ１５とのギヤ比は、補助押圧部材１１と最終位置検知ピン１２の突出量及び駆動量に応じて最適な比率に設定される。
【００３３】
接地部１１ｂは、下部に重心を有するような形状に成形され、原稿押さえ板４の角度に係わらず、常に原稿に対して底面が水平に接するように、支点１８を中心に支柱１１ａの先端に回動自在に連結されている。接地部１１ｂは、原稿及びコンタクトガラス３を傷つけないように合成樹脂やゴム等の軟質材料で形成しておくことが好ましい。
【００３４】
次に、第１実施形態の原稿押さえ装置により原稿を押さえる方法について、図４及び図５を参照しながら説明する。図４は、補助押圧部材１１の動作を示す側面断面図であり、図５は、補助押圧部材１１及び最終位置検知ピン１２の動作を示す正面図（図４の右方向から見た図）である。なお、図５では説明の便宜のため、原稿マット６、ギヤ１５、原稿２０等は記載を省略している。
【００３５】
原稿画像の読み取りを行う場合、ユーザは先ず、原稿指示手段１０ａ、１０ｂ（図１参照）の表示を基準として位置決めを行い、コンタクトガラス３上に原稿を載置する。次に、原稿押さえ板４を開放状態から徐々に閉方向に回動させていくと、原稿押さえ板４が所定の角度となった時に、図４（ａ）のように、原稿マット６がまだ原稿２０を押さえる前に、補助押圧部材１１の接地部１１ｂが原稿２０に当接する。このとき、図５（ａ）に示すように、補助押圧部材１１及び最終位置検知ピン１２は最下端に位置しており、補助押圧部材１１は最終位置検知ピン１２よりも突出している。
【００３６】
なお、接地部１１ｂがコンタクトガラス３に到達する原稿押さえ板４の角度については、特に制限はないが、接地部１１ｂが到達する角度が狭すぎると、接地部１１ｂが原稿２０に当接する前に、原稿押さえ４の風圧により原稿２０の位置ずれが生じるおそれがある。一方、接地部１１ｂが到達する角度が広すぎると、補助押圧部材１１の突出量を大きくする必要があり、原稿押さえ装置の設計上困難となる。そのため、原稿押さえ板４の角度が約４０°〜５０°となった時に接地部１１ｂがコンタクトガラス３に到達するように設計しておくことが好ましく、４５°とすることがより好ましい。
【００３７】
図４（ａ）の状態から更に原稿押さえ板４を閉じていくと、補助押圧部材１１は接地部１１ｂが原稿２０に当接した状態で、バネ１３ａの弾性力に抗して押し上げられ、原稿押さえ板４内に収容されていく。そして、図４（ｂ）のように、原稿マット６が原稿２０の全面を覆うように押圧し、原稿２０を保持する。なお、図５（ａ）に示すように、補助押圧部材１１が上昇を開始してしばらくの間は、噛み合わせ部１１ｄがギヤ１５と噛み合う位置に到達しないため、最終位置検知ピン１２は上昇しない。
【００３８】
その後、補助押圧部材１１が所定の高さまで矢印Ａ方向に押し上げられ、最終位置検知ピン１２が押される直前には、図５（ｂ）のように補助押圧部材１１及び最終位置検知ピン１２の突出量が等しくなる。このとき、噛み合わせ部１１ｄがギヤ１５と噛み合う位置に到達し、補助押圧部材１１と最終位置検知ピン１２は、ギヤ１５、１６及び回転軸１７により双方から駆動力の伝達が可能となる。
【００３９】
原稿押さえ板４が完全に閉じられると、原稿押さえ板４の荷重により原稿マット６が圧縮され、最終位置検知ピン１２がコンタクトガラス３の外側に当接して押し上げられる。そして、図５（ｃ）に示すように、最終位置検知ピン１２が連結されたギヤ１６が矢印Ｂ方向に回転し、回転軸１７を介してギヤ１６と連動するギヤ１５も矢印Ｂ方向に回転するため、補助押圧部材１１も矢印Ａ方向に上昇する。
【００４０】
ここで、最終位置検知ピン１２はギヤ１６の小径部１６ｂに連結されているため、最終位置検知ピン１２の押し上げ量が僅かであっても、補助押圧部材１１の上昇量は大きくなる。その結果、図５（ｃ）のように、最終位置検知ピン１２の突出量が補助押圧部材１１の突出量を逆転し、図４（ｃ）のように接地部１１ｂは原稿２０上から確実に離間する。そして、原稿読み取り作業を行った後、原稿押さえ板４が開放されると、補助押圧部材１１及び最終位置検知ピン１２は、バネ１３ａ、１３ｂの付勢力により図５（ａ）の状態に戻る。
【００４１】
即ち、本発明の原稿押さえ装置を用いることにより、原稿押さえ板４がある程度閉じられた状態で補助押圧部材１１により原稿が固定されるため、原稿押さえ板４を閉じる際の風圧等による原稿の位置ずれを効果的に防止する。また、補助押圧部材１１はバネ１３ａを用いて原稿押さえ板４に支持されているので、原稿２０に過度の負荷をかけず、原稿２０を傷つけることもない。
【００４２】
また、原稿押さえ板４を完全に閉じた状態では、最終位置検知ピン１２が押されることにより補助押圧部材１１が原稿２０上から退避するため、原稿２０が薄い場合でも読み取られた画像上に補助押圧部材１１の跡が残らない良好な画像読み取り操作を行うことができる。さらに、原稿押さえ板４に補助押圧部材１１を駆動するモータ等の駆動手段を別途設ける必要がないため、原稿押さえ板４の重量が増加せず、開閉動作が容易となる。
【００４３】
なお、補助押圧部材１１は、原稿押さえ板４の裏面４ａの複数箇所に設けることもできるが、コンタクトガラス３上の原稿指示手段１０ａ、１０ｂの近傍に対向する位置に１箇所設けておけば、原稿の位置ずれ防止効果は十分に期待できる。
【００４４】
また、ギヤ１５又はギヤ１６に、所定の回転方向（図５では矢印Ｂ方向）にのみ駆動力を伝達するワンウェイ機構を備えた構成としても良い。この場合、原稿押さえ４が開放され、最終位置検知ピン１２に加えられていた上向きの抗力が無くなると、バネ１３ａ、１３ｂの付勢力によりギヤ１５又はギヤ１６が矢印Ｂと反対方向に空転し、補助押圧部材１１及び最終位置検知ピン１２を迅速且つ確実に元の突出状態に戻すことができる。特に、原稿表面を補助押圧部材１１が強く押圧しないように、バネ１３ａ、１３ｂの付勢力を弱めておく場合に有効である。
【００４５】
図６は、本発明の第２実施形態に係る原稿押さえ装置の内部に配置される駆動機構を示す斜視図である。第１実施形態の図３と共通する部分には同一の符号を付して説明を省略する。本実施形態においては、ギヤ１６と最終位置検知ピン１２との間に、ギヤ１６の小径部１６ｂと同径のギヤ２１が挿入されており、補助押圧部材１１に連結するギヤ１５及び最終位置検知ピン１２に連結するギヤ２１の回転軸が異なる構成となっている。
【００４６】
第１実施形態のように、補助押圧部材１１及び最終位置検知ピン１２が同一の回転軸１７上のギヤ１５、１６に連結されている場合、補助押圧部材１１と最終位置検知ピン１２の配置は回転軸１７に平行な位置関係に限られる。一方、本実施形態のようにギヤ２１を挿入すると、ギヤ１５及びギヤ２１の回転が逆方向となるため、補助押圧部材１１と最終位置検知ピン１２はそれぞれギヤ１５、２１の反対側に配置され、さらにギヤ１５及びギヤ２１の回転軸のずれ量だけ回転軸と直交する方向に離れて配置されることとなる。
【００４７】
なお、ここでは、３枚のギヤ１５、１６、２１及び回転軸１７を用いて駆動伝達手段を構成しているが、補助押圧部材１１に連結されるギヤ径を、最終位置検知ピン１２に連結されるギヤ径よりも大きくしておく以外は、各ギヤの径及びギヤ数、並びに回転軸の本数は任意に設計、選択可能である。従って、ギヤ及び回転軸の組み合わせにより補助押圧部材１１と最終位置検知ピン１２の配置の自由度が大きくなるため好ましい。
【００４８】
また、本実施形態においても、ギヤ１５、１６、２１の少なくとも１つに、所定の回転方向（ギヤ１５、１６では矢印Ａ方向、ギヤ２１では矢印Ｂ方向）にのみ駆動力を伝達するワンウェイ機構を備えた構成とし、原稿押さえ板４の開放と同時に補助押圧部材１１及び最終位置検知ピン１２が迅速に元の突出状態に戻るようにしても良い。
【００４９】
本発明は上記各実施形態に限定されず、本発明の趣旨を逸脱しない範囲で種々の変更が可能である。例えば上記実施形態では、補助押圧部材１１及び最終位置検知ピン１２の両方にバネ１３ａ、１３ｂを付設して突出方向に付勢しているが、補助押圧部材１１若しくは最終位置検知ピン１２のいずれか一方にのみバネを設ける構成としても良い。また、ここでは例としてコイルバネを用いているが、コイルバネに代えて、トーションバネや板バネ等の他のバネ、或いはゴム等の他の弾性部材を用いることもできる。
【００５０】
また、補助押圧部材１１及び最終位置検知ピン１２を設ける位置も上記実施形態に限定されず、原稿指示手段の配置等に応じて任意に設定することができる。さらに、ギヤ及び回転軸に代えて、駆動用ワイヤーやベルト、プーリ等の従来公知の駆動伝達部材或いはそれらとギヤとの組み合わせにより駆動伝達手段を構成することも可能である。
【産業上の利用可能性】
【００５１】
本発明は、画像読取部の上部に設けられる原稿載置面に対向するように、ヒンジ部を介して画像読取部の一端に開閉自在に支持される原稿押さえ板と、該原稿押さえ板の裏面に設けられ原稿載置面に載置された原稿を覆い押さえる押圧部材と、を備えた原稿押さえ装置において、原稿押さえ板の閉動作により押圧部材よりも先に原稿載置面に到達し、載置された原稿の一部を原稿載置面に密着させる補助押圧部材と、押圧部材が原稿載置面の略全面を押さえたとき、最終位置検知ピンが原稿載置面の外側部分で押し上げられて原稿押さえ板の閉位置を検知する最終位置検知ピンとが、原稿押さえ板の裏面より出入自在に突設されるとともに、弾性部材により突出方向に付勢されており、最終位置検知ピンが原稿押さえ板の閉位置を検知したとき、補助押圧部材が原稿上から退避することとする。
【００５２】
これにより、原稿押さえ板を閉じる際の風圧等による原稿の位置ずれを効果的に防止するとともに、補助押圧部材は弾性部材の付勢力を用いて適度な圧力で原稿を押さえるため、原稿上に補助押圧部材の跡が残るおそれがない。また、最終位置検知ピンにより、原稿押さえ板の閉位置として原稿が完全に保持された状態が検知されたとき、補助押圧部材が原稿上から退避するため、読み取られた画像上に補助押圧部材の跡が残らない良好な画像読み取り操作を行うことができる。
【００５３】
また、補助押圧部材及び最終位置検知ピンを連結する駆動伝達手段を設け、最終位置検知ピンが押し上げられる力により補助押圧部材を上昇させることとしたので、画像上に補助押圧部材の跡が残らず、動作荷重の軽い原稿押さえ装置を簡便且つ低コストで提供することができる。
【００５４】
また、駆動伝達手段を複数のギヤと１つ以上の回転軸とで構成し、補助押圧部材に連結されるギヤのギヤ径を最終位置検知ピンに連結されるギヤのギヤ径よりも大きくしておけば、最終位置検知ピンの上昇量は補助押圧部材の押し上げ量よりも小さくなる。従って、最終位置検知ピンが閉位置を検知して押し上げられる際に補助押圧部材及び最終位置検知ピンの突出量が逆転するようにギヤ比を設定することにより、簡単な構成で閉位置の検知と同時に補助押圧部材を原稿上から退避させることができる。
【００５５】
また、最終位置検知ピンが原稿押さえ板の閉位置を検知したとき、補助押圧部材が駆動伝達手段に連結されることとしたので、原稿押さえ板が閉位置となるまで最終位置検知ピンの突出量が変動せず、閉位置を正確に検知できる。さらに、駆動伝達手段の一部にワンウェイ機構を装備すれば、弾性部材の付勢力が弱い場合であっても、原稿押さえ板の開放に伴い補助押圧部材及び最終位置検知ピンを迅速且つ確実に元の突出状態に戻すことができる。
【００５６】
また、原稿載置面の原稿指示手段近傍に対向する位置に、原稿押さえ板の角度が略４５°となった時に原稿載置面に到達するような補助押圧部材を設けたので、原稿押さえ板の風圧で原稿のずれが生じる前に、位置決めの基準となる原稿指示手段付近を補助押圧部材で押さえることができ、原稿の位置ずれをより確実に防止する。
【図面の簡単な説明】
【００５７】
【図１】は、本発明の第１実施形態に係る原稿押さえ装置の部分斜視図である。
【図２】は、原稿押さえ板の内部に配置される、補助押圧部材及び最終位置検知ピンの駆動機構を示す斜視図である。
【図３】は、駆動機構を図２の上方から見た状態を示す斜視図である。
【図４】は、原稿押さえ装置の補助押圧部材の動作状態を示す側面断面図である。
【図５】は、補助押圧部材及び最終位置検知ピンの動作状態を正面から見た図である。
【図６】は、本発明の第２実施形態に係る原稿押さえ装置の、原稿押さえ板の内部に配置される補助押圧部材及び最終位置検知ピンの駆動機構を示す斜視図である。
【図７】は、従来の画像形成装置の画像読取部周辺の構成を示す斜視図である。
【符号の説明】
【００５８】
１                画像形成装置
２                画像読取部
３                コンタクトガラス（原稿載置面）
４                原稿押さえ板
５                ヒンジ部
６                原稿マット（押圧部材）
７                原稿搬送部
１０ａ、１０ｂ    原稿指示手段
１１              補助押圧部材
１１ａ            支柱
１１ｂ            接地部
１２              最終位置検知ピン
１３ａ、１３ｂ    バネ（弾性部材）
１５、１６、２１  ギヤ（駆動伝達部材）
１７              回転軸（駆動伝達部材）
２０              原稿
【図１】
2006101451.tif 000003
【図２】
2006101451.tif 000004
【図３】
2006101451.tif 000005
【図４】
2006101451.tif 000006
【図５】
2006101451.tif 000007
【図６】
2006101451.tif 000008
【図７】
2006101451.tif 000009